(57)【要約】【課題】電磁弁やポンプなどをハウジングに組み付けて構成される部品組立体において、ハウジングをかしめ変形させるときの力による他部品用部品組み付け穴の変形を、かしめ固定部から他部品用部品組み付け穴までのハウジング肉厚を増やさずに抑制できるようにすることを課題としている。【解決手段】第１の部品組み付け穴３に挿入された装置構成部品（弁ハウジング１２）のハウジング２に対する固定がハウジングの座面５を変形させてかしめ固定部６を形成する方法によってなされ、さらに、かしめ固定部６の近傍に設けられた第２の部品組み付け穴４に他部品を組み付けて構成される部品組立体を改善の対象にして、前記座面５に支持される着座部１２ａの側面に、ハウジング２の座面陥没部８の側面８ａが入り込む逃げ部７を設けた。【選択図】図４
2009233736.tif 000002
【特許請求の範囲】
【請求項１】
ハウジング（２)に第１の部品組み付け穴（３)が設けられ、その第１の部品組み付け穴（３)に挿入された装置構成部品の前記ハウジング（２)に対する固定が、当該ハウジング（２）の座面（５）を陥没するように変形させてかしめ固定部（６)を形成する方法でなされ、さらに、前記かしめ固定部（６）の近傍に設けられた第２の部品組み付け穴（４）に他部品を組み付けて構成される部品組立体であって、
前記装置構成部品において前記ハウジングの座面（５）に支持される着座部(１２ａ）は、その径方向外側を臨む側面に、ハウジング（２）の座面陥没部（８）におけるその径方向内側を臨む側面（８ａ）が入り込む逃げ部（７)を有することを特徴とする部品組立体。
【請求項２】
前記装置構成部品の着座部(１２ａ）の前記側面の少なくとも一部を、反着座側が着座側よりも第１の部品組み付け穴（３)の軸心に近づく方向に傾斜させて前記逃げ部（７)を作り出したことを特徴とする請求項１に記載の部品組立体。
【請求項３】
前記装置構成部品の着座部(１２ａ）をフランジで構成し、その着座部(１２ａ）の前記側面を、反着座側端部のフランジ径Ｄ１が着座側端部のフランジ径Ｄ２よりも小径になるテーパ面にして前記逃げ部（７)を作り出したことを特徴とする請求項２に記載の部品組立体。
【請求項４】
前記装置構成部品の着座部(１２ａ）の前記側面に凹部（７ａ)を設け、この凹部（７ａ）で前記逃げ部（７)を構成したことを特徴とする請求項１に記載の部品組立体。
【請求項５】
前記凹部（７ａ)を、前記着座部(１２ａ）の前記側面の着座面（１２ｂ）よりも反着座側に偏った位置に設けたことを特徴とする請求項４に記載の部品組立体。
【請求項６】
前記第１の部品組み付け穴（３)に液圧路を開閉する電磁弁（１０）が組み付けられ、前記第２の部
品組み付け穴（４）にモータによって駆動されるピストンポンプ(２０)が組み付けられ、ブレーキ液
圧制御用の液圧ユニットとして構成されたことを特徴とする請求項１〜５のいずれかに記載の部品組立体。
【請求項７】
前記装置構成部品が、液圧制御用の電磁弁（１０）、液流に方向性を与えるチェック弁（２６)、又は前記第１の部品組み付け穴（３)の入口を塞ぐ封止栓（３２)である請求項１〜５のいずれかに記載の部品組立体。
【発明の詳細な説明】
【技術分野】
【０００１】
この発明は、アルミ合金などで形成されるハウジングに液圧路を開閉する電磁弁やポンプなどの装置構成部品を組み付けて構成される液圧ユニットなどの部品組立体、特に、弁部品などの装置構成部品を、高精度に加工された部品組み付け穴の近くに配置してハウジングに対してそのハウジングの一部を塑性変形させて固定する構造の部品組立体に関する。
【背景技術】
【０００２】
車両のブレーキ装置に採用されるブレーキ液圧制御用の液圧ユニットは、少なくとも、動力駆動のポンプと、液圧制御用の電磁弁をハウジングに組み込んで構成されるものが主流をなしている。この液圧ユニットは、車両の各車輪に設けたホイールシリンダの液圧を必要に応じて前記電磁弁で制御する。また、ハウジングの一面に装着したモータで前記ポンプを駆動して液圧を発生させ、その液圧を減圧後の再加圧用として、あるいは自動ブレーキ制御時の制動液圧としてホイールシリンダに供給する。
【０００３】
この種の装置において、電磁弁などの部品を液圧ユニットのハウジングに固定する方法として、ハウジングを塑性変形させて部品を固定する、いわゆるかしめ固定法がある。その具体例として、例えば下記特許文献１は、液圧制御ユニットのハウジング(弁収容ボディと称している)にそのハウジングを変形させて電磁弁の弁ハウジングを固定している。
【特許文献１】特許第３２８１３８５号公報
【発明の開示】
【発明が解決しようとする課題】
【０００４】
上述したブレーキ液圧制御用の液圧ユニットは、小型化が目覚しく進展しているが、さらなる小型化が強く望まれている。また、一方で、軽量化のために、ハウジングの素材としてアルミ合金を採用することが一般化している。
【０００５】
上記の小型化の要求に応えるには、部品の高密度配置が不可欠であり、その高密度配置のために、ハウジングにかしめ固定される部品の近くに他部品用の部品組み付け穴を設けざるを得ないケースが生じてくる。
【０００６】
ところが、ハウジングをかしめ変形させると、そのときにハウジングに加えられた力がかしめ固定部に近接した他部品用の部品組み付け穴部に伝播してその部品組み付け穴が変形する。鉄系部品に比べて強度の低いアルミ合金製のハウジングではその現象が特に顕著である。この変形が大きいと、変形した部品組み付け穴に対する部品の組み付けに支障がでることが考えられる。また、他部品用部品組み付け穴に摺動部品（例えば、ピストンポンプのピストンなど）が組み付けられる場合には、穴に挿入した部品の円滑な摺動の阻害要因となる懸念が生じる。
【０００７】
現状技術では、その不具合を回避するために、ハウジングのかしめ固定部から他部品用部品組み付け穴までの距離(その間のハウジング肉厚）を十分に確保しており、このためにハウジングの体格が増し、このことが、製品のさらなる小型化を図る上でのネックになっている。
【０００８】
この発明は、電磁弁やポンプなどをハウジングに組み付けて構成される液圧ユニットなどの部品組立体のさらなる小型化を図るために、ハウジングをかしめ変形させるときの力による他部品用部品組み付け穴の変形を、かしめ固定部から他部品用部品組み付け穴までのハウジング肉厚を増やさずに抑制できるようにすることを課題としている。
【課題を解決するための手段】
【０００９】
上記の課題を解決するため、この発明においては、ハウジングに第１の部品組み付け穴が設けられ、その第１の部品組み付け穴に挿入された装置構成部品の前記ハウジングに対する固定がハウジングの座面を変形させてかしめ固定部を形成する方法（かしめ固定）によってなされ、さらに、前記かしめ固定部の近傍に設けられた第２の部品組み付け穴に他部品を組み付けて構成される部品組立体を改善の対象にして、前記装置構成部品において前記ハウジングの座面に支持される着座部は、その径方向外側を臨む側面に、ハウジングの座面陥没部におけるその径方向内側を臨む側面が入り込む逃げ部を有する構造にした。
【００１０】
前記逃げ部は、以下に記すものが考えられる。
（１）前記装置構成部品の前記着座部の前記側面の少なくとも一部を、反着座側が着座側よりも第１の部品組み付け穴の軸心に近づく方向に傾斜させて作り出したもの。
（２）前記装置構成部品の前記着座部をフランジで構成し、その着座部の前記側面を、反着座側端部のフランジ径Ｄ１が着座側端部のフランジ径Ｄ２よりも小径になるテーパ面にして作り出したもの。
（３）前記装置構成部品の前記着座部の前記側面に凹部を設けてこの凹部で構成したもの。
【００１１】
なお、この発明を適用する部品組立体は、第１の部品組み付け穴に液圧路を開閉する電磁弁が組み付けられ、第２の部品組み付け穴にモータによって駆動されるピストンポンプが組み付けられ、ブレーキ液圧制御用の液圧ユニットとして構成されたものが考えられる。ただし、ブレーキ以外の機器用の部品組立体に適用しても発明の効果が期待できる。
【００１２】
液圧ユニットのほかに、空気圧制御用のユニットなども考えられる。また、第１の部品組み付け穴
に組み付ける装置構成部品は、電磁弁のほかに、液流に方向性を与えるチェック弁や、第１の部品組み付け穴の入口を塞ぐ封止栓などもあり、これらの部品もハウジングにかしめ固定することがある。従って、「ハウジングにかしめ固定する部品がある」、「その部品の近くに摺動部品などを挿入する第２の部品組み付け穴がある」の２つの条件が成立する部品組立体が、この発明の適用対象となる。
【発明の効果】
【００１３】
図８に従来構造の一部を拡大して示す。図のように、かしめ固定部６を生じさせる目的でハウジング２の座面５を装置構成部品の着座部１２ａで加圧すると、ハウジング２の被加圧部が塑性変形して座面５が陥没し、このとき、ハウジング２の一部が弾性変形して座面５の周囲の肉部が図８に示すように膨らむ。この膨らみ部９には弾性復元力が残留しており、その力が第２の部品組み付け穴側に伝播して第２の部品組み付け穴を変形させる。
これに対し、この発明の部品組み立て体は、装置構成部品の着座部においてその径方向外側を臨む側面に逃げ部を設けており、その逃げ部にハウジングの座面陥没部におけるその径方向内側を臨む側面が弾性復元して入り込む。そのために、かしめ固定部の近傍に残留する応力が小さくなり、ハウジングの座面から第２の部品組み付け穴に伝播する力が少なくなって近傍でハウジングをかしめることに起因した第２の部品組み付け穴の変形が抑制されるようになる。
【００１４】
なお、前記逃げ部を、装置構成部品の着座部の前記側面を特定の方向に傾斜させて作り出したもの、中でも、前記着座部をフランジで構成し、そのフランジの前記側面を、反着座側のフランジ径Ｄ１が着座側のフランジ径Ｄ２よりも小径になるテーパ面にして作り出したものは、着座部の形状が複雑にならず、逃げ部の加工が簡単である。また、ハウジングの一部が弾性復元して着座部の着座面の外端よりも内側（第１の部品組み付け穴の中心側）に入り込んで装置構成部品の着座部に係止するため、かしめ固定も強化される。
【００１５】
着座部の前記側面に凹部を設けてその凹部で逃げ部を構成するものも、凹部を着座部の着座面よりも反着座側に偏らせて設けると、ハウジングの弾性復元部が係止してかしめ固定が強化される。
【発明を実施するための最良の形態】
【００１６】
以下、添付図面の図１〜図７に基づいてこの発明の実施の形態を説明する。図１は、この発明を適用したブレーキ液圧制御用の液圧ユニットの要部を示している。図示の液圧ユニット１は、ハウジング２と、液圧制御用の電磁弁１０と、ピストンポンプ２０を組み合わせて構成されている。
【００１７】
ハウジング２には、第１の部品組み付け穴３と第２の部品組み付け穴４が設けられ、第１の部品組み付け穴３に電磁弁１０が、第２の部品組み付け穴４にピストンポンプ２０がそれぞれ組み付けられている。
【００１８】
電磁弁１０は、弁スリーブ１１と、その弁スリーブ１１の外周に装着される励磁用のコイル（図示せず）と、そのコイルを覆うヨーク（これも図示せず）と、固定鉄心を兼用した弁ハウジング１２と、一体の弁棒１３を有する可動鉄心１４と、弁ハウジング１２の内部に設けられた弁部１５及びチェック弁１６と、弁棒１３に復帰力を加える復帰スプリング１７と、フィルタ１８を組み合わせて構成されている。
【００１９】
図示の電磁弁１０は、コイルに通電して磁力を発生させると可動鉄心１４が弁ハウジング１２側に吸引され、弁棒１３で保持した弁体１５ａが弁座１５ｂに接触して弁部１５が閉ざされる。この電磁弁は周知の弁であるので、詳細説明は省く。
【００２０】
図２のピストンポンプ２０は、第２の部品組み付け穴４に摺動自在に挿入したピストン２１と、吸入弁２２と吐出弁２３を組み合わせて構成されている。ピストン２１は、モータ（図示せず)の出力軸に取り付けたカム２４(偏心したベアリング）に駆動されて往復運動し、その運動でポンプ室２５にブレーキ液が吸入され、さらに吸入されたブレーキ液が圧縮されて吐出される。このピストンポンプ２０も周知であるので、詳細説明は省く。
【００２１】
電磁弁１０のハウジング２に対する組み付けは、弁ハウジング１２を第１の部品組み付け穴３に挿入してハウジング２に固定する方法でなされる。このときの固定は、第１の部品組み付け穴３の入口部の縁に設けられたハウジング２の座面５(図１に一点鎖線で示す部分）を、弁ハウジング１２に設けられた着座部１２ａで加圧して変形させ、塑性変形した部分を弁ハウジング１２の外周の溝などに係止させる方法が採られる。
【００２２】
このとき、座面５が陥没し、同時にハウジング２の一部が弾性変形する。その弾性変形によって生じる弾性復元力がハウジング２に残留し、その力が、座面５の近傍に設けられた第２の部品組み付け穴４に向って伝播される。その力の伝播を減少させるために、図１の液圧ユニット１においては、装置構成部品である弁ハウジング１２に設けられた着座部１２ａの径方向外側を臨む側面を反着座側が着座側よりも第１の部品組み付け穴３の軸心に近づく方向に傾斜させて着座部１２ａの周囲に逃げ部７を作り出している。
【００２３】
なお、図示の着座部１２ａは、弁ハウジング１２の外周に形成されたフランジで構成されている。ここでは、着座部１２ａの側面を、図３に示すように、反着座側端部のフランジ径Ｄ１が着座側端部のフランジ径Ｄ２よりも小径になるテーパ面にして逃げ部７を作り出している。
【００２４】
座面５は、弁ハウジング１２により図１のＡ方向に加圧されて変形し、塑性変形した部分が第１の部品組み付け穴３の中心側に突出してかしめ固定部６が形成される。このときに出来る座面陥没部８の径方向内側を臨む側面８ａには径方向内向きに弾性復元しようとする力が生じ、その側面８ａが、図４に示すように、着座部１２ａの側面に設けた逃げ部７に弾性復元して逃げる。そのために、座面陥没部８の周辺における応力の残留がなくなり、かしめ固定部６から第２の部品組み付け穴４に向けて伝播される力が小さくなって第２の部品組み付け穴４の要求精度を損なうような変形が回避される。また、弾性復元した部分が着座部１２ａの着座面１２ｂの径方向外径よりも内径側に入り込んで着座部１２ａに係止するため、かしめ固定そのものも強化される。
【００２５】
図１、図３の逃げ部７は、上述したように、反着座側端部のフランジ径Ｄ１が着座側端部のフランジ径Ｄ２よりも小径になるテーパ面にして作り出しているので、形状が複雑にならず、旋削加工などによって簡単に形成することができる。
【００２６】
図５は、逃げ部７の変形例である。この図５の逃げ部７は、着座部１２ａの側面に凹部７ａを設けて作り出している。凹部７ａは、図のように、着座部１２ａの側面の反着座側に偏った位置（着座面１２ｂよりも図において上側）に設けてもよいし、着座面１２ｂに接する位置に設けてもよい。また、第２の部品組み付け穴が設けられる側のみに凹部７ａを設置する構造でも発明の効果を期待することができる。
【００２７】
なお、かしめ固定によって第１の部品組み付け穴３に組み付けられる装置構成部品は、上述した電磁弁１０のほかに、図６に示すチェック弁２６や図７に示す封止栓３２なども考えられる。
【００２８】
図６のチェック弁２６は、弁体２７、弁座２８ａを有するシート部品２８、弁体２７に閉弁力を加えるスプリング２９、シート部品２８に固定される弁ホルダ３０及び内部を通過する液体を濾過するフィルタ３１とで構成され、ハウジング２に形成された第１の部品組み付け穴３の入口部にシート部品２８がかしめ固定して取り付けられる。
【００２９】
これらの装置構成部品も、かしめ固定部６の近くに高精度が要求される第２の部品組み付け穴が設けられる場合には、逃げ部７の有効性が発揮される。
【図面の簡単な説明】
【００３０】
【図１】この発明を適用したブレーキ液圧制御用液圧ユニットの要部を示す断面図
【図２】図１のＸ−Ｘ線に沿った断面図
【図３】図１の弁ハウジングの着座部を拡大して示す断面図
【図４】ハウジングの逃げ部に逃げた状態を示す部分拡大断面図
【図５】逃げ部の他の例を示す断面図
【図６】ハウジングにかしめ固定する装置構成部品がチェック弁である例を示す断面図
【図７】ハウジングにかしめ固定する装置構成部品が封止栓である例を示す断面図
【図８】従来構造で起こる着座面陥没部周辺の膨らみ状態を示す断面図
【符号の説明】
【００３１】
１          液圧ユニット
２          ハウジング
３          第１の部品組み付け穴
４          第２の部品組み付け穴
５          座面
６          かしめ固定部
７          逃げ部
７ａ        凹部
８          陥没部
８ａ        側面
９          膨らみ部
１０        電磁弁
１１        弁スリーブ
１２        弁ハウジング
１２ａ      着座部
１２ｂ      着座面
１３        弁棒
１４        可動鉄心
１５        弁部
１５ａ      弁体
１５ｂ      弁座
１６        チェック弁
１７        復帰スプリング
１８        フィルタ
２０        ピストンポンプ
２１        ピストン
２２        吸入弁
２３        吐出弁
２４        カム
２５        ポンプ室
２６        チェック弁
２７        弁体
２８        シート部品
２８ａ      弁座
２９        スプリング
３０        弁ホルダ
３１        フィルタ
３２        封止栓
【図１】
2009233736.tif 000003
【図２】
2009233736.tif 000004
【図３】
2009233736.tif 000005
【図４】
2009233736.tif 000006
【図５】
2009233736.tif 000007
【図６】
2009233736.tif 000008
【図７】
2009233736.tif 000009
【図８】
2009233736.tif 000010